(57)【要約】      （修正有）【課題】ネスティングが可能であり、かつ製造コストが安い荷物カゴ及び椅子を提供する。【解決手段】荷物カゴ３０は、座部を支持する一対の前方脚部及び一対の後方脚部を有する椅子の前記座部の下方に設置され、前後方向に折り曲げられる折り曲げ部を奇数個備える載置部３２と、前記載置部３２を補強する補強部３３と、前記載置部３２を吊り上げる吊上げ部３１と、を備える。前記載置部３２は、左右の先端部（第１の端部３２Ａ、第２の端部３２Ｄ）が左右の前方脚部にそれぞれ支持され、前記吊上げ部３１は、左右の先端部（第１の支持部３１Ａ、第２の支持部３１Ｃ）が左右の前方脚部にそれぞれ支持される【選択図】図６
2017099447.tif 000002
【特許請求の範囲】
【請求項１】
座部を支持する一対の前方脚部及び一対の後方脚部を有する椅子の前記座部の下方に設置され、前後方向に折り曲げられる折り曲げ部を奇数個備える載置部と、
前記載置部を補強する補強部と、
前記載置部を吊り上げる吊上げ部と、
を備える荷物カゴ。
【請求項２】
前記載置部は、
左右の先端部が左右の前記前方脚部又は前記後方脚部にそれぞれ支持される請求項１に記載の荷物カゴ。
【請求項３】
前記吊上げ部は、
左右の先端部が左右の前記前方脚部又は前記後方脚部にそれぞれ支持される請求項１に記載の荷物カゴ。
【請求項４】
前記載置部は、
左右の先端部が左右の前記前方脚部又は前記後方脚部のいずれか一方にそれぞれ支持され、
前記吊上げ部は、
左右の先端部が左右の前記前方脚部又は前記後方脚部のいずれか他方にそれぞれ支持される請求項１に記載の荷物カゴ。
【請求項５】
前記折り曲げ部は、
斜め上方に角度を付けて立ち上がっている請求項１から請求項４までのいずれか１項に記載の荷物カゴ。
【請求項６】
前記載置部は、
横幅が一対の前記後方脚部の内側の幅より狭い請求項１から請求項５までのいずれか１項に記載の荷物カゴ。
【請求項７】
前記補強部は、
前記載置部を下方から補強し、
前記吊上げ部は、
前記載置部を下方から吊り上げる請求項１から請求項６までのいずれか１項に記載の荷物カゴ。
【請求項８】
前記補強部、前記吊上げ部、及び前記載置部のうち少なくとも前記載置部は、線材によって形成される請求項１から請求項７までのいずれか１項に記載の荷物カゴ。
【請求項９】
座部と、
前記座部を左右方向から回転可能に支持するフレームと、
前記フレームの下端部に取り付けられる前方脚部及び後方脚部と、
前記フレームの上端部に背もたれ支持部を介して設置される背もたれと、
前記フレームの上端部に背もたれ支持部を介して設置される、請求項１から請求項６までのいずれか１項に記載の荷物カゴと、
を備える椅子。
【請求項１０】
前記フレームは、
一対の前記前方脚部の外幅が一対の前記後方脚部のうち幅より狭くなるように前記前方脚部を設置するクランク部を有する請求項９に記載の椅子。
【発明の詳細な説明】
【技術分野】
【０００１】
本発明は、荷物カゴ及び椅子に関するものである。
【背景技術】
【０００２】
会議において使用されるミーティングチェア（以下、単に椅子という。）は、会議場に密集して並べられることが多い。従って、荷物を置くための荷物カゴは椅子の座部の下方に配置される。また、椅子は前後方向に集積して収納する、いわゆるネスティングが可能であることが要求されることが多い。
【０００３】
さらに、会議場における配置と収納が容易なように、構造が簡単であり、軽いことが要求される。加えて、価格が安いものが要求されるため、製造コストが低いものである必要がある。
【０００４】
従来のネスティング可能な椅子は、荷物カゴを傾斜させて設置することによりネスティングを可能にしている（例えば、特許文献１。）。
【０００５】
しかし、荷物カゴの形状は依然複雑であり、部品点数が多く、製造コストが高いものであった。例えば、特許文献１に記載の荷物カゴは、直線状に形成された支持材と、Ｕ字状に形成された３つのＵ字部材と、Ｕ字部材を囲むカコミ部材と、荷物カゴを吊り下げる釣り部材と、の合計６点の部品を所定の形状になるように溶接しなければならない。
【先行技術文献】
【特許文献】
【０００６】
【特許文献１】特開２０１４−１０４０１７号公報
【発明の概要】
【発明が解決しようとする課題】
【０００７】
本発明が解決しようとする課題は、ネスティングが可能であり、かつ製造コストが安い荷物カゴ及び椅子を提供することである。
【課題を解決するための手段】
【０００８】
前記課題を解決するため、本発明に係る荷物カゴは、座部を支持する一対の前方脚部及び一対の後方脚部を有する椅子の前記座部の下方に設置され、前後方向に折り曲げられる折り曲げ部を奇数個備える載置部と、前記載置部を補強する補強部と、前記載置部を吊り上げる吊上げ部と、を備える。
【発明の効果】
【０００９】
本発明によれば、ネスティングが可能であり、かつ製造コストが安い荷物カゴ及び椅子を提供することができるという効果がある。
【図面の簡単な説明】
【００１０】
【図１】椅子の正面斜視図。
【図２】椅子の背面斜視図。
【図３】椅子の正面図。
【図４】椅子の底面図。
【図５】椅子の右側面図。
【図６】荷物カゴの斜視図。
【図７】荷物カゴの平面図。
【図８】荷物カゴの正面図。
【図９】荷物カゴの右側面図。
【発明を実施するための形態】
【００１１】
以下、本発明の一実施形態に係る荷物カゴ３０及び椅子１を、図面を参照して説明する。図１は椅子１の正面斜視図、図２は椅子１の背面斜視図、図３は椅子１の正面図、図４は椅子１の底面図、図５は椅子１の右側面図である。
【００１２】
図１から図５に示すように、椅子１は、座部２８と、フレーム２３と、背もたれ２１と、肘掛１０と、後方脚部２５Ｂと、前方脚部２５Ａと、荷物カゴ３０と、を備える。
【００１３】
座部２８は、上面にクッションを有する。フレーム２３は、座部２８を回転可能に座部２８の左右方向から支持する。フレーム２３の床面方向下端部には前方脚部２５Ａが取り付けられる。一対の前方脚部２５Ａの上端部には座部支持部２６が架け渡される。座部支持部２６は、座部２８の床面方向への回転を座位において規制する。
【００１４】
フレーム２３はさらに、上端部下側に後方脚部２５Ｂが取り付けられる。フレーム２３は、座部２８の取り付け部分より下方において、座部方向である中心方向に屈曲するクランク部を有する。従って、一対の前方脚部２５Ａの外幅は、一対の後方脚部２５Ｂのうち幅より狭くなる。他の椅子１の前方脚部２５Ａが一対の後方脚部２５Ｂの間に入れ込むことが可能となり、ネスティングが可能となる。クランク部には、柔軟性のある樹脂によって形成されるバンパー２４が設置される。従って、ネスティングの際の衝撃を和らげ、適正位置に椅子１を案内することが可能となる。前方脚部２５Ａ及び後方脚部２５Ｂの床面方向端部にはキャスタ２７が取り付けられる。
【００１５】
フレーム２３の上端部上側には背もたれ支持部２２を介して背もたれ２１が設置される。背もたれ２１は、例えば樹脂によって形成され、背もたれ支持部２２の内部には後方脚部２５Ｂの上端部が伸びる。
【００１６】
荷物カゴ３０の横幅は、一対の後方脚部２５Ｂの内側の幅より狭い。荷物カゴ３０は、一対の前方脚部２５Ａの内側にそれぞれ２か所ずつ設けられる差し込み穴に端部を差し込むことにより座部２８の下方に設置される。
【００１７】
従って、荷物カゴ３０の取り付け部分の横幅及び荷物の載置部分の横幅は前方脚部２５Ａの外側の幅より広くなることがなく、ネスティングの際に荷物カゴ３０は前方脚部２５Ａとともに他の椅子１の後方脚部２５Ｂの間に入り込み、他の椅子１の後方脚部２５Ｂと干渉することがない。
【００１８】
また、図５に示すように、荷物カゴ３０は底部の延長線Ｘが水平線Ｌに対してなす角θ１が７°以上１１°以下になるように着座方向前方（以下、単に前方という。）に傾斜して設置される。
【００１９】
従って、椅子１をネスティングした場合、荷物カゴ３０は他の椅子１の荷物カゴ３０の上方に重なるため、荷物カゴ３０は他の椅子１の後方脚部２５Ｂ及び荷物カゴ３０と干渉することがない。
【００２０】
図６は荷物カゴ３０の斜視図、図７は荷物カゴ３０の平面図、図８は荷物カゴ３０の正面図、図９は荷物カゴ３０の右側面図である。
【００２１】
図６から図９に示すように、荷物カゴ３０は、荷物を載置する載置部３２と、載置部３２を吊りあげる吊上げ部３１と、載置部３２を下面から補強する補強部３３と、を備える。
【００２２】
載置部３２、補強部３３、及び吊上げ部３１は金属製の線材によって形成されることが、製造コストを低減でき、必要な剛性を得られるという点において望ましい。また、補強部３３、吊上げ部３１、及び載置部３２のうち少なくとも載置部３２は線材によって形成される。補強部３３及び吊上げ部３１は、その材質及び形状は問わない。補強部３３及び吊上げ部３１は、例えば樹脂による成形品であっても、金属製や樹脂製のチェーンであってもよい。
【００２３】
載置部３２は、先端が着座方向右側の前方脚部２５Ａの差し込み穴に差し込まれ、床面方向に斜めに延びる第１の端部３２Ａと、着座方向後方（以下、単に後方という。）に延び、斜め上方に角度θ２を付けて折れ曲がり、さらに前方に向かって延びる第１の折り曲げ部３２Ｂと、隣接する二つの第１の折り曲げ部３２Ｂの間に設けられ、斜め上方に角度θ３を付けて折れ曲がる第２の折り曲げ部３２Ｃと、斜め上方に向かって延び、先端が着座方向左側の前方脚部２５Ａの差し込み穴に差し込まれる第２の端部３２Ｄと、を備える。
【００２４】
角度θ２及び角度θ３は、９０°以上１７０°以下が望ましく、１２０°がより望ましい。第１の折り曲げ部３２Ｂと第２の折り曲げ部３２Ｃとが前記角度を付けて立ち上がっていることにより、載置部３２に載置された荷物が落下することを防止する効果を有する。載置部３２の横幅は、一対の後方脚部２５Ｂの内側の幅より狭い。
【００２５】
載置部３２は、第１の折り曲げ部３２Ｂを１つ以上有する。ここで、第１の折り曲げ部３２Ｂ及び第２の折り曲げ部３２Ｃを単に折り曲げ部と呼ぶ。図６に示す例においては、第１の折り曲げ部３２Ｂが二つ設けられ、第２の折り曲げ部３２Ｃが一つ設けられているため、折り曲げ部は奇数個である合計３個設けられている。本実施形態においては、載置部３２は１本の線材が前後方向に奇数回折り返され、折り曲げ部は奇数個設けられてこの載置部３２の左右幅を形成している。従って、荷物カゴ３０の部品点数を削減することが可能となる。また、第１の端部３２Ａと第２の端部３２Ｄは前方又は後方のいずれかの同じ方向に延びて、前方脚部２５Ａ又は後方脚部２５Ｂの一方にまとめて連結することが可能となる。荷物カゴ３０は前後を反転させても椅子１に設置できる。この場合においても、第１の端部３２Ａと第２の端部３２Ｄは前方脚部２５Ａ又は後方脚部２５Ｂの一方にまとめて連結することが可能となる。よって、椅子１の全体をバランスが良いものにするという効果がある。
【００２６】
補強部３３は、例えば角が丸い長方形をなす。補強部の形状には特に制限がなく、円形、多角形、Ｓ字型及びＵ字型などから適宜選択される。補強部３３は、載置部３２の下面から溶接される。補強部３３は複数設けられてもよい。
【００２７】
吊上げ部３１は、先端が着座方向右側の前方脚部２５Ａの差し込み穴に差し込まれ、後方に向かって所定長延びた後、床面方向に延びる第１の支持部３１Ａと、載置部３２を下面から支持する横部材３１Ｂと、上方に向かって延びた後、所定長前方に延び、先端が着座方向左側の前方脚部２５Ａの差し込み穴に差し込まれる第２の支持部３１Ｃと、を備える。横部材３１Ｂは、下面から載置部３２に溶接される。
【００２８】
なお、上記の図示した実施形態においては、載置部３２の第１の端部３２Ａと第２の端部３２Ｄとは前方脚部２５Ａに支持されている例を説明したが、第１の端部３２Ａと第２の端部３２Ｄとは後方脚部２５Ｂに支持されていてもよい。また、上記の実施形態においては、吊上げ部３１は前方脚部２５Ａに支持されている例を説明したが、吊上げ部３１は後方脚部２５Ｂに支持されていてもよい。上記のように本実施形態においては、第１の端部３２Ａと第２の端部３２Ｄとを前方脚部２５Ａと後方脚部２５Ｂのいずれか一方に支持させ、吊上げ部３１を前方脚部２５Ａと後方脚部２５Ｂのいずれか他方に支持させることができる。
【００２９】
以上述べたように、本実施形態の荷物カゴ３０は、先端部が左右の前方脚部２５Ａに支持され、前方から後方に向かって延び、折り返されて前方に延びる第１の折り曲げ部３２Ｂを有する載置部３２と、載置部３２を下方から補強する補強部３３と、先端部が左右の前方脚部２５Ａに支持され、載置部３２を下面から吊り上げる吊上げ部３１と、を備える。載置部３２、座部２８を支持する一対の前方脚部２５Ａ及び一対の後方脚部２５Ｂを有する椅子１の座部２８の下方に設置され、前後方向に折り曲げられる折り曲げ部を奇数個備える。
【００３０】
荷物カゴ３０は一対の前方脚部２５Ａの内側から支持されるため、ネスティングする際に他の椅子１の後方脚部２５Ｂと干渉することがない。よって、ネスティングが可能であり、かつ部品点数が少ないため、製造コストが安い荷物カゴ及び椅子を提供することができるという効果がある。
【符号の説明】
【００３１】
１  椅子
１０  肘掛
２２  支持部
２３  フレーム
２４  バンパー
２５Ａ  前方脚部
２５Ｂ  後方脚部
２６  座部支持部
２７  キャスタ
２８  座部
３０  荷物カゴ
３１  吊上げ部
３１Ａ  第１の支持部
３１Ｂ  横部材
３１Ｃ  第２の支持部
３２  載置部
３２Ａ  第１の端部
３２Ｂ  第１の折り曲げ部
３２Ｃ  第２の折り曲げ部
３２Ｄ  第２の端部
３３  補強部
【図１】
2017099447.tif 000003
【図２】
2017099447.tif 000004
【図３】
2017099447.tif 000005
【図４】
2017099447.tif 000006
【図５】
2017099447.tif 000007
【図６】
2017099447.tif 000008
【図７】
2017099447.tif 000009
【図８】
2017099447.tif 000010
【図９】
2017099447.tif 000011